(57)【特許請求の範囲】
【請求項１】
アグリゲータによって運用される電力消費管理装置であって、
１または複数の電力需要施設における複数の負荷側装置の各々について、１または複数のパターンの機器動作の制御を行った場合の節電予想量をそれぞれ取得する予想量取得部と、
電力消費に関する要請の内容に基づく所定条件を満たすように、前記予想量取得部によって取得された各前記節電予想量を用いて、対象となる前記負荷側装置および対応の前記パターンを決定する決定部と、
前記決定部によって決定された前記負荷側装置または前記負荷側装置を制御可能な装置へ、前記決定部によって決定された前記対応のパターンに基づく制御情報を送信する送信部とを備え、
前記予想量取得部は、１つの前記負荷側装置に対応する複数の前記パターンを取得し、前記複数のパターンの機器動作の制御を同じ期間において行った場合の節電予想量をそれぞれ取得し、
前記パターンは、節電度合いの異なる複数のレベルの制御が節電期間において切り替えられるパターンである、電力消費管理装置。
【請求項２】
アグリゲータによって運用される電力消費管理装置であって、
１または複数の電力需要施設における複数の負荷側装置の各々について、１または複数のパターンの機器動作の制御を行った場合の節電予想量をそれぞれ取得する予想量取得部と、
電力消費に関する要請の内容に基づく所定条件を満たすように、前記予想量取得部によって取得された各前記節電予想量を用いて、対象となる前記負荷側装置および対応の前記パターンを決定する決定部と、
前記決定部によって決定された前記負荷側装置または前記負荷側装置を制御可能な装置へ、前記決定部によって決定された前記対応のパターンに基づく制御情報を送信する送信部とを備え、
前記予想量取得部は、前記負荷側装置に対応する前記電力需要施設についての環境パラメータと節電予想量との対応関係を示す情報から前記節電予想量を取得し、
前記環境パラメータは、前記負荷側装置の空調対象のフロアに存在する人間の数、および前記フロアの面積の少なくともいずれか一方である、電力消費管理装置。
【請求項３】
前記負荷側装置は、前記電力需要施設における１または複数の機器を制御可能な装置であり、
前記送信部は、前記決定部によって決定された前記負荷側装置へ、前記制御情報を送信する、請求項１または請求項２に記載の電力消費管理装置。
【請求項４】
前記負荷側装置は、前記電力需要施設における機器であり、
前記送信部は、前記決定部によって決定された前記負荷側装置を制御可能な前記装置へ、前記制御情報を送信する、請求項１または請求項２に記載の電力消費管理装置。
【請求項５】
前記電力消費管理装置は、さらに、
前記負荷側装置に対応する消費電力量の計測結果を取得する電力量取得部と、
前記電力量取得部によって取得された前記計測結果に基づいて、前記負荷側装置についての機器動作の稼働または非稼働の状況を判断する判断部とを備え、
前記予想量取得部は、前記判断部が非稼働と判断した前記負荷側装置に対応する前記節電予想量を取得しない、請求項１から請求項４のいずれか１項に記載の電力消費管理装置。
【請求項６】
前記所定条件は、前記複数の負荷側装置に対応する電力消費に対してペナルティが課されないことである、請求項１から請求項５のいずれか１項に記載の電力消費管理装置。
【請求項７】
前記パターンは、前記要請に含まれる節電期間の終了タイミングにおいて前記負荷側装置に対応する消費電力量が所定条件を満たすような機器動作である、請求項１から請求項６のいずれか１項に記載の電力消費管理装置。
【請求項８】
前記パターンは、空調設備の室外機の動作であり、
前記予想量取得部は、さらに、前記負荷側装置に対応する前記電力需要施設における室外気温を取得し、取得した前記室外気温に応じた前記節電予想量を取得する、請求項１から請求項７のいずれか１項に記載の電力消費管理装置。
【請求項９】
アグリゲータによって運用される電力消費管理装置と、
複数の負荷側装置とを備え、
前記電力消費管理装置は、１または複数の電力需要施設における前記複数の負荷側装置の各々について、１または複数のパターンの機器動作の制御を行った場合の節電予想量をそれぞれ取得し、
前記電力消費管理装置は、電力消費に関する要請の内容に基づく所定条件を満たすように、取得した各前記節電予想量を用いて、対象となる前記負荷側装置および対応の前記パターンを決定し、
前記電力消費管理装置は、決定した前記負荷側装置または前記負荷側装置を制御可能な装置へ、決定した前記対応のパターンに基づく制御情報を送信し、
前記電力消費管理装置は、１つの前記負荷側装置に対応する複数の前記パターンを取得し、前記複数のパターンの機器動作の制御を同じ期間において行った場合の節電予想量をそれぞれ取得し、
前記パターンは、節電度合いの異なる複数のレベルの制御が節電期間において切り替えられるパターンである、電力消費管理システム。
【請求項１０】
アグリゲータによって運用される電力消費管理装置と、
複数の負荷側装置とを備え、
前記電力消費管理装置は、１または複数の電力需要施設における前記複数の負荷側装置の各々について、１または複数のパターンの機器動作の制御を行った場合の節電予想量をそれぞれ取得し、
前記電力消費管理装置は、電力消費に関する要請の内容に基づく所定条件を満たすように、取得した各前記節電予想量を用いて、対象となる前記負荷側装置および対応の前記パターンを決定し、
前記電力消費管理装置は、決定した前記負荷側装置または前記負荷側装置を制御可能な装置へ、決定した前記対応のパターンに基づく制御情報を送信し、
前記電力消費管理装置は、前記負荷側装置に対応する前記電力需要施設についての環境パラメータと節電予想量との対応関係を示す情報から前記節電予想量を取得し、
前記環境パラメータは、前記負荷側装置の空調対象のフロアに存在する人間の数、および前記フロアの面積の少なくともいずれか一方である、電力消費管理システム。
【請求項１１】
アグリゲータによって運用される電力消費管理装置において用いられる電力消費管理プログラムであって、
コンピュータを、
１または複数の電力需要施設における複数の負荷側装置の各々について、１または複数のパターンの機器動作の制御を行った場合の節電予想量をそれぞれ取得する予想量取得部と、
電力消費に関する要請の内容に基づく所定条件を満たすように、前記予想量取得部によって取得された各前記節電予想量を用いて、対象となる前記負荷側装置および対応の前記パターンを決定する決定部と、
前記決定部によって決定された前記負荷側装置または前記負荷側装置を制御可能な装置へ、前記決定部によって決定された前記対応のパターンに基づく制御情報を送信する送信部と、
として機能させるためのプログラムであり、
前記予想量取得部は、１つの前記負荷側装置に対応する複数の前記パターンを取得し、前記複数のパターンの機器動作の制御を同じ期間において行った場合の節電予想量をそれぞれ取得し、
前記パターンは、節電度合いの異なる複数のレベルの制御が節電期間において切り替えられるパターンである、電力消費管理プログラム。
【請求項１２】
アグリゲータによって運用される電力消費管理装置において用いられる電力消費管理プログラムであって、
コンピュータを、
１または複数の電力需要施設における複数の負荷側装置の各々について、１または複数のパターンの機器動作の制御を行った場合の節電予想量をそれぞれ取得する予想量取得部と、
電力消費に関する要請の内容に基づく所定条件を満たすように、前記予想量取得部によって取得された各前記節電予想量を用いて、対象となる前記負荷側装置および対応の前記パターンを決定する決定部と、
前記決定部によって決定された前記負荷側装置または前記負荷側装置を制御可能な装置へ、前記決定部によって決定された前記対応のパターンに基づく制御情報を送信する送信部と、
として機能させるためのプログラムであり、
前記予想量取得部は、前記負荷側装置に対応する前記電力需要施設についての環境パラメータと節電予想量との対応関係を示す情報から前記節電予想量を取得し、
前記環境パラメータは、前記負荷側装置の空調対象のフロアに存在する人間の数、および前記フロアの面積の少なくともいずれか一方である、電力消費管理プログラム。
【発明の詳細な説明】
【技術分野】
【０００１】
本発明は、電力消費管理装置、電力消費管理システムおよび電力消費管理プログラムに関し、特に、電力需要施設における電力消費を抑制する電力消費管理装置、電力消費管理システムおよび電力消費管理プログラムに関する。
【背景技術】
【０００２】
従来、電力需給が逼迫している場合等に一般家庭およびオフィス等の電力需要施設における電力消費が抑制されるように、電力需要施設における電力消費を管理するシステムが開発されている。
【０００３】
たとえば、特許文献１（特開２０１２−２０５３５８号公報）には、以下のような技術が開示されている。すなわち、電力管理システムは、予め登録された複数の参加者を含むコミュニティに関する参加者リストを保持する保持部と、電力削減制御の実行の要否を判定する判定部と、電力削減制御の実行が必要であると判定部が判定した場合に、参加者リストに含まれている複数の参加者の中から、電力削減制御の対象となる一以上の対象者を選定する選定部と、選定部によって選定された対象者に関して、電力削減制御を実行する制御部と、電力削減制御が実行された対象者に対して、削減電力に基づく特典を付与する付与部とを備える。
【０００４】
また、節電を目的として、家庭またはビル等の電力需要施設へのエネルギーマネジメントシステムｘＥＭＳ（Ｅｎｅｒｇｙ  Ｍａｎａｇｅｍｅｎｔ  Ｓｙｓｔｅｍ）の導入が行われている。
【０００５】
ｘＥＭＳとは、電力需要施設における消費電力量を監視し、電力需要施設における機器または設備等の運転状態を管理することによって、電力需要施設における電力消費の抑制を図るためのシステムである。ｘＥＭＳは、家庭向けである場合、ＨＥＭＳ（Ｈｏｍｅ  Ｅｎｅｒｇｙ  Ｍａｎａｇｅｍｅｎｔ  Ｓｙｓｔｅｍ）となり、ビル向けである場合、ＢＥＭＳ（Ｂｕｉｌｄｉｎｇ  Ｅｎｅｒｇｙ  Ｍａｎａｇｅｍｅｎｔ  Ｓｙｓｔｅｍ）となる。
【０００６】
ｘＥＭＳは、たとえばアグリゲータと呼ばれる事業者と連携することによって電力需要の抑制を実現する。アグリゲータは、ｘＥＭＳを導入した電力需要施設に対してエネルギー管理支援サービスを提供する。
【先行技術文献】
【特許文献】
【０００７】
【特許文献１】特開２０１２−２０５３５８号公報
【特許文献２】特開２０１３−１６１１４４号公報
【発明の概要】
【発明が解決しようとする課題】
【０００８】
電力会社および系統運用会社等の系統側事業者は、多くの電力需要施設にｘＥＭＳが導入されることにより、全体的な電力需要を広範囲に調整することが容易となる。
【０００９】
たとえば、系統側事業者は、電力需給の逼迫が予測される場合に、アグリゲータに対して予め節電要請を行なう。そして、アグリゲータは、電力需要施設の需要家に対して節電要請を行なう。
【００１０】
しかしながら、アグリゲータが節電要請を行っても、節電要請の対象期間において当該節電要請に従った電力消費の抑制が需要家の電力需要施設において行われない場合がある。このような場合、十分な節電が行われなくなり、需要と供給とのバランスが崩れてしまうことがある。
【００１１】
この発明は、上述の課題を解決するためになされたもので、その目的は、電力需要施設における電力消費の抑制をより確実に行わせるとともに、需要と供給とのバランスを保つ等、適切な抑制量を実現することが可能な電力消費管理装置、電力消費管理システムおよび電力消費管理プログラムを提供することである。
【課題を解決するための手段】
【００１２】
（１）上記課題を解決するために、この発明のある局面に係わる電力消費管理装置は、１または複数の電力需要施設における複数の負荷側装置の各々について、１または複数のパターンの機器動作の制御を行った場合の節電予想量をそれぞれ取得する予想量取得部と、電力消費に関する要請の内容に基づく所定条件を満たすように、前記予想量取得部によって取得された各前記節電予想量を用いて、対象となる前記負荷側装置および対応の前記パターンを決定する決定部と、前記決定部によって決定された前記負荷側装置または前記負荷側装置を制御可能な装置へ、前記決定部によって決定された前記対応のパターンに基づく制御情報を送信する送信部とを備える。
【００１３】
（１０）上記課題を解決するために、この発明のある局面に係わる電力消費管理システムは、電力消費管理装置と、複数の負荷側装置とを備え、前記電力消費管理装置は、１または複数の電力需要施設における前記複数の負荷側装置の各々について、１または複数のパターンの機器動作の制御を行った場合の節電予想量をそれぞれ取得し、前記電力消費管理装置は、電力消費に関する要請の内容に基づく所定条件を満たすように、取得した各前記節電予想量を用いて、対象となる前記負荷側装置および対応の前記パターンを決定し、前記電力消費管理装置は、決定した前記負荷側装置または前記負荷側装置を制御可能な装置へ、決定した前記対応のパターンに基づく制御情報を送信する。
【００１４】
（１１）上記課題を解決するために、この発明のある局面に係わる電力消費管理プログラムは、電力消費管理装置において用いられる電力消費管理プログラムであって、コンピュータを、１または複数の電力需要施設における複数の負荷側装置の各々について、１または複数のパターンの機器動作の制御を行った場合の節電予想量をそれぞれ取得する予想量取得部と、電力消費に関する要請の内容に基づく所定条件を満たすように、前記予想量取得部によって取得された各前記節電予想量を用いて、対象となる前記負荷側装置および対応の前記パターンを決定する決定部と、前記決定部によって決定された前記負荷側装置または前記負荷側装置を制御可能な装置へ、前記決定部によって決定された前記対応のパターンに基づく制御情報を送信する送信部と、として機能させるためのプログラムである。
【００１５】
本発明は、このような特徴的な処理部を備える電力消費管理装置として実現することができるだけでなく、かかる特徴的な処理をステップとする方法として実現したり、電力消費管理装置の一部または全部を実現する半導体集積回路として実現したりすることができる。
【００１６】
また、本発明は、このような特徴的な処理部を備える電力消費管理システムとして実現することができるだけでなく、かかる特徴的な処理をステップとする方法として実現したり、電力消費管理システムの一部または全部を実現する半導体集積回路として実現したりすることができる。
【発明の効果】
【００１７】
本発明によれば、電力需要施設における電力消費の抑制をより確実に行わせるとともに、需要と供給とのバランスを保つ等、適切な抑制量を実現することができる。
【図面の簡単な説明】
【００１８】
【図１】図１は、本発明の第１の実施の形態に係る電力消費管理システムの構成を示す図である。
【図２】図２は、本発明の第１の実施の形態に係る電力消費管理システムの適用例を示す図である。
【図３】図３は、本発明の第１の実施の形態に係る電力消費管理システムにおける電力消費管理装置の構成を示す図である。
【図４】図４は、本発明の第１の実施の形態に係るデータベースに保存される電力量テーブルの一例を示す図である。
【図５】図５は、本発明の第１の実施の形態に係る電力消費管理システムにおけるＤＲのタイムチャートの一例を示す図である。
【図６】図６は、本発明の第１の実施の形態に係る電力消費管理装置における判断部の判断結果の一例を示す図である。
【図７】図７は、本発明の第１の実施の形態に係る機器の予想量取得部が用いる制御パターンの一例を示す図である。
【図８】図８は、本発明の第１の実施の形態に係る機器の予想量取得部が用いる制御パターンの一例を示す図である。
【図９】図９は、本発明の第１の実施の形態に係る機器の予想量取得部が用いる制御パターンの一例を示す図である。
【図１０】図１０は、消費電力量の所定条件を説明するための図である。
【図１１】図１１は、本発明の第１の実施の形態に係るデータベースに保存される節電効果表の一例を示す図である。
【図１２】図１２は、本発明の第１の実施の形態に係る電力消費管理装置における予想量取得部による節電予想量の算出結果の一例を示す図である。
【図１３】図１３は、本発明の第１の実施の形態に係る電力消費管理装置がＤＲ要請信号を受信して処理する際の動作手順を定めたフローチャートである。
【図１４】図１４は、本発明の第２の実施の形態に係る電力消費管理システムの構成を示す図である。
【図１５】図１５は、本発明の第２の実施の形態に係る電力消費管理システムの適用例を示す図である。
【図１６】図１６は、本発明の第２の実施の形態に係る電力消費管理システムにおける電力消費管理装置の構成を示す図である。
【発明を実施するための形態】
【００１９】
最初に、本発明の実施形態の内容を列記して説明する。
【００２０】
（１）本発明の実施の形態に係る電力消費管理装置は、１または複数の電力需要施設における複数の負荷側装置の各々について、１または複数のパターンの機器動作の制御を行った場合の節電予想量をそれぞれ取得する予想量取得部と、電力消費に関する要請の内容に基づく所定条件を満たすように、前記予想量取得部によって取得された各前記節電予想量を用いて、対象となる前記負荷側装置および対応の前記パターンを決定する決定部と、前記決定部によって決定された前記負荷側装置または前記負荷側装置を制御可能な装置へ、前記決定部によって決定された前記対応のパターンに基づく制御情報を送信する送信部とを備える。
【００２１】
このように、たとえば需要と供給とのバランスが崩れないように、機器動作の制御パターンに着目した複数の負荷側装置の各々の節電予想量を用いて制御対象および制御パターンを決定し、制御情報を送信する構成により、節電予想量と同程度の電力消費の抑制が達成される可能性を高めることができる。したがって、電力需要施設における電力消費の抑制をより確実に行わせるとともに、需要と供給とのバランスを保つ等、適切な抑制量を実現することができる。
【００２２】
（２）好ましくは、前記負荷側装置は、前記電力需要施設における１または複数の機器を制御可能な装置であり、前記送信部は、前記決定部によって決定された前記負荷側装置へ、前記制御情報を送信する。
【００２３】
このように、負荷側装置が、制御情報に従って電力需要施設における１または複数の機器を制御する構成により、当該負荷側装置に対応する節電予想量と同程度の電力消費の抑制を当該複数の機器に対してより確実に行わせることができる。
【００２４】
（３）好ましくは、前記負荷側装置は、前記電力需要施設における機器であり、前記送信部は、前記決定部によって決定された前記負荷側装置を制御可能な前記装置へ、前記制御情報を送信する。
【００２５】
このように、電力需要施設における機器を制御可能な装置が制御情報に従って当該機器を制御する構成により、当該機器に対応する節電予想量と同程度の電力消費の抑制を当該機器に対してより確実に行わせることができる。
【００２６】
（４）好ましくは、前記予想量取得部は、１つの前記負荷側装置に対応する複数の前記パターンを取得し、各前記パターンにおける前記節電予想量が異なる。
【００２７】
このような構成により、電力消費に関する要請の内容に応じて、複数の候補の中から対象となる負荷側装置および対応のパターンを適切に決定することができる。
【００２８】
（５）好ましくは、前記電力消費管理装置は、さらに、前記負荷側装置に対応する消費電力量の計測結果を取得する電力量取得部と、前記電力量取得部によって取得された前記計測結果に基づいて、前記負荷側装置についての機器動作の状況を判断する判断部とを備え、前記予想量取得部は、前記判断部の判断結果に基づいて前記節電予想量を取得する。
【００２９】
このような構成により、たとえば動作していない機器についての節電予想量を期待して誤った節電量を予想してしまうことを防ぐことができるので、より正確な節電予想量を取得することができる。
【００３０】
（６）好ましくは、前記所定条件は、前記複数の負荷側装置に対応する電力消費に対してペナルティが課されないことである。
【００３１】
このような構成により、たとえば同時同量の義務を順守してペナルティが課されないように、対象となる負荷側装置および対応のパターンを適切に決定することができる。
【００３２】
（７）好ましくは、前記パターンは、前記要請に含まれる節電期間の終了タイミングにおいて前記負荷側装置に対応する消費電力量が所定条件を満たすような機器動作である。
【００３３】
このような構成により、節電期間の満了後における消費電力量をある程度コントロールすることができるので、たとえばリバウンドにより消費電力量が急増してしまうことを防ぐことができる。
【００３４】
（８）好ましくは、前記予想量取得部は、前記負荷側装置に対応する前記電力需要施設についての環境パラメータと節電予想量との対応関係を示す情報から前記節電予想量を取得する。
【００３５】
このような構成により、電力需要施設における環境に応じた節電予想量を取得することができるので、より正確な節電予想量を容易に取得することができる。
【００３６】
（９）好ましくは、前記パターンは、空調設備の室外機の動作であり、前記予想量取得部は、さらに、前記負荷側装置に対応する前記電力需要施設における室外気温を取得し、取得した前記室外気温に応じた前記節電予想量を取得する。
【００３７】
このような構成により、室外気温と室内気温との温度差に応じて消費電力量が大きく変動する空調設備の節電予想量をより正確に取得することができる。
【００３８】
（１０）本発明の実施の形態に係る電力消費管理システムは、電力消費管理装置と、複数の負荷側装置とを備え、前記電力消費管理装置は、１または複数の電力需要施設における前記複数の負荷側装置の各々について、１または複数のパターンの機器動作の制御を行った場合の節電予想量をそれぞれ取得し、前記電力消費管理装置は、電力消費に関する要請の内容に基づく所定条件を満たすように、取得した各前記節電予想量を用いて、対象となる前記負荷側装置および対応の前記パターンを決定し、前記電力消費管理装置は、決定した前記負荷側装置または前記負荷側装置を制御可能な装置へ、決定した前記対応のパターンに基づく制御情報を送信する。
【００３９】
このように、たとえば需要と供給とのバランスが崩れないように、機器動作の制御パターンに着目した複数の負荷側装置の各々の節電予想量を用いて制御対象および制御パターンを決定し、制御情報を送信する構成により、節電予想量と同程度の電力消費の抑制が達成される可能性を高めることができる。したがって、電力需要施設における電力消費の抑制をより確実に行わせるとともに、需要と供給とのバランスを保つ等、適切な抑制量を実現することができる。
【００４０】
（１１）本発明の実施の形態に係る電力消費管理プログラムは、電力消費管理装置において用いられる電力消費管理プログラムであって、コンピュータを、１または複数の電力需要施設における複数の負荷側装置の各々について、１または複数のパターンの機器動作の制御を行った場合の節電予想量をそれぞれ取得する予想量取得部と、電力消費に関する要請の内容に基づく所定条件を満たすように、前記予想量取得部によって取得された各前記節電予想量を用いて、対象となる前記負荷側装置および対応の前記パターンを決定する決定部と、前記決定部によって決定された前記負荷側装置または前記負荷側装置を制御可能な装置へ、前記決定部によって決定された前記対応のパターンに基づく制御情報を送信する送信部と、として機能させるためのプログラムである。
【００４１】
このように、たとえば需要と供給とのバランスが崩れないように、機器動作の制御パターンに着目した複数の負荷側装置の各々の節電予想量を用いて制御対象および制御パターンを決定し、制御情報を送信する構成により、節電予想量と同程度の電力消費の抑制が達成される可能性を高めることができる。したがって、電力需要施設における電力消費の抑制をより確実に行わせるとともに、需要と供給とのバランスを保つ等、適切な抑制量を実現することができる。
【００４２】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００４３】
＜第１の実施の形態＞
［構成および基本動作］
図１は、本発明の第１の実施の形態に係る電力消費管理システムの構成を示す図である。
【００４４】
図１を参照して、電力消費管理システム３０１は、系統側管理装置１５１と、電力消費管理装置１０１と、３つのＢＥＭＳ−ＧＷ（Ｇａｔｅｗａｙ）２０２と、６つの負荷側装置２０５とを備える。
【００４５】
図１では、６つの負荷側装置２０５を代表的に示しているが、複数の負荷側装置２０５が設けられればよい。また、１つのＢＥＭＳ−ＧＷ２０２に対応して２つの負荷側装置２０５を代表的に示しているが、１つのＢＥＭＳ−ＧＷ２０２に対応して１つまたは３つ以上の負荷側装置２０５が設けられてもよい。また、１つの電力需要施設において１つのＢＥＭＳ−ＧＷ２０２が設けられているが、１つの電力需要施設において複数のＢＥＭＳ−ＧＷ２０２が設けられてもよい。また、３つの電力需要施設を代表的に示しているが、２つ以下または４つ以上の電力需要施設が設けられてもよい。
【００４６】
電力消費管理システム３０１では、たとえば、電力の需給が逼迫する場合、または電力の需給が逼迫するおそれがある場合において、各需要家における消費電力を抑制するための需要応答（ＤＲ：Ｄｅｍａｎｄ  Ｒｅｓｐｏｎｓｅ）を発行することが可能である。
【００４７】
より詳細には、電力消費管理システム３０１における系統側管理装置１５１は、電力系統側である電力会社または系統運用会社等によって運用され、電力消費に関する要請を示す電力管理情報を含むＤＲ（Ｄｅｍａｎｄ  Ｒｅｓｐｏｎｓｅ）要請信号を、たとえばＯｐｅｎＡＤＲ２．０の規格に従って電力消費管理装置１０１へ送信する。電力会社は、たとえば発電事業者または電力小売り事業者である。
【００４８】
電力管理情報は、たとえば、電力消費の抑制の対象期間（以下、節電期間とも称する。）の開始タイミングであるＤＲ開始タイミングおよび節電期間の長さ、ならびに電力消費の削減依頼量を含む。なお、電力管理情報には、節電期間の長さの代わりに節電期間の終了タイミングであるＤＲ終了タイミングが含まれてもよい。また、電力管理情報には、電力消費の削減依頼量の代わりに、電力量の上限または削減レベルが含まれていてもよい。
【００４９】
ＢＥＭＳ−ＧＷ２０２は、電力会社から電力の供給を受けるビルまたは工場等の電力需要施設における１または複数の負荷側装置２０５を制御可能な装置の一例である。ＢＥＭＳ−ＧＷ２０２は、電気機器の動作を制御することによって消費電力の削減を図るためのＢＥＭＳにおいて用いられる装置であり、たとえばアグリゲータによって導入される。なお、電力消費管理システム３０１は、ＢＥＭＳ−ＧＷ２０２の代わりに、一般家庭等の電力需要施設における１または複数の負荷側装置２０５を制御可能な装置の一例であるＨＥＭＳ−ＧＷを備える構成であってもよい。
【００５０】
電力消費管理装置１０１は、たとえばアグリゲータによって運用され、１または複数のＢＥＭＳ−ＧＷ２０２と通信を行なうことにより、当該ＢＥＭＳ−ＧＷ２０２が設けられた電力需要施設における電力消費を管理する。電力消費管理装置１０１は、たとえば、ＢＥＭＳ−ＧＷ２０２が設けられる電力需要施設から遠隔の場所に設置されることが多い。
【００５１】
［課題］
電力消費管理装置１０１は、系統側管理装置１５１からＤＲ要請信号を受信すると、受信したＤＲ要請信号に含まれる電力管理情報に基づいて、たとえば、電力消費に関する指示情報をＢＥＭＳ−ＧＷ２０２に通知する。
【００５２】
より詳細には、電力消費管理装置１０１は、たとえば、電力管理情報に基づいて、節電期間、および抑制すべき電力量である抑制量を節電目標として示す指示情報をＢＥＭＳ−ＧＷ２０２へ通知する。
【００５３】
ＢＥＭＳ−ＧＷ２０２は、電力消費管理装置１０１から指示情報の通知を受けると、受けた指示情報に基づいて、自己が制御可能な１または複数の負荷側装置２０５に対して節電のための制御を行うか否かの判断を行う。この判断は、たとえばＢＥＭＳ−ＧＷ２０２の節電ポリシーに従って行われる。すなわち、ＢＥＭＳ−ＧＷ２０２が主体的に負荷側装置２０５を制御する。そして、ＢＥＭＳ−ＧＷ２０２は、節電のための制御対象とすべきと判断した負荷側装置２０５に、節電を行わせるための制御指示を出力する。
【００５４】
たとえば、アグリゲータが需要である消費電力量と供給である発電電力量とをバランスさせるための同時同量の義務を順守する必要がある場合、電力消費管理装置１０１では、指示情報の内容および通知先を適切に決定することが求められる。このため、節電期間において各負荷側装置２０５により節約される電力量の予想値である節電予想量を当該節電期間の開始タイミングより前に正確に認識しておくことが好ましい。
【００５５】
しかしながら、上記のように、負荷側装置２０５に対する節電のための制御に関する判断がＢＥＭＳ−ＧＷ２０２において行われる場合、電力消費管理装置１０１からの指示情報に対する電力需要施設における節電は、ＢＥＭＳ−ＧＷ２０２に大きく依存することになる。
【００５６】
このため、電力消費管理装置１０１は、正確な節電予想量を予め認識することが困難であり、指示情報の内容および通知先を適切に決定できず、節電目標を達成できなくなることがある。この場合、アグリゲータにペナルティが課されることがあるため、好ましくない。
【００５７】
そこで、本発明の実施の形態に係る電力消費管理システムにおける電力消費管理装置およびＢＥＭＳ−ＧＷでは、以下のような構成および動作により、このような課題を解決する。
【００５８】
［電力消費管理システムの適用例］
図２は、本発明の第１の実施の形態に係る電力消費管理システムの適用例を示す図である。
【００５９】
図２を参照して、電力会社の施設には、たとえばサーバである系統側管理装置１５１と、データベース（ＤＢ）１６２とが設けられている。アグリゲータの施設には、たとえばＤＲＡＳ（Ｄｅｍａｎｄ  Ｒｅｓｐｏｎｓｅ  Ａｕｔｏｍａｔｉｏｎ  Ｓｅｒｖｅｒ）である電力消費管理装置１０１と、データベース１６１とが設けられている。各電力需要施設には、たとえば計測装置および制御装置の機能を有するＢＥＭＳ−ＧＷ２０２と、電力メータ１８１と、電流センサ１８２と、センサ１８３と、複数の負荷側装置２０５とが設けられている。
【００６０】
負荷側装置２０５は、たとえば電力需要施設における機器である。具体的には、負荷側装置２０５は、空調設備であり、室外機２０６と、室内機２０７とを含む。なお、負荷側装置２０５は、二次電池をエネルギー源とする二次電池式電気自動車およびプラグインハイブリッドカー、ならびに照明およびテレビ等の電気機器であってもよい。
【００６１】
系統側管理装置１５１は、データベース１６２に保存された情報等に基づいて、電力管理情報を作成し、作成した電力管理情報をインターネット１０経由で電力消費管理装置１０１へ送信する。
【００６２】
電力消費管理装置１０１は、系統側管理装置１５１から電力管理情報を受信すると、受信した電力管理情報、およびデータベース１６１に保存された各種情報等に基づいて制御情報を作成し、作成した制御情報をたとえばＯｐｅｎＡＤＲ２．０の規格に従ってインターネット１０経由でＢＥＭＳ−ＧＷ２０２へ送信する。
【００６３】
ＢＥＭＳ−ＧＷ２０２は、電力消費管理装置１０１から受信した制御情報に基づいて、制御対象の負荷側装置２０５の能力を制限する節電制御を行う。
【００６４】
具体的には、ＢＥＭＳ−ＧＷ２０２は、負荷側装置２０５における室外機２０６をたとえばレベル１〜３の３段階で節電制御することが可能である。ここで、レベル１の節電制御は、室外機２０６における圧縮機の能力の上限値を７５％に抑制する節電制御である。レベル２の節電制御は、当該能力を５０％に抑制する節電制御である。レベル３の節電制御は、当該能力を０％に抑制する節電制御すなわち室外機２０６を停止する節電制御である。
【００６５】
ＢＥＭＳ−ＧＷ２０２は、制御情報に従って、レベル１〜３の節電制御のうちのいずれか１つを継続して行ったり、レベル１〜３の節電制御を組み合わせた制御を行ったりする。
【００６６】
電力メータ１８１は、たとえば電力需要施設における全体の消費電力量を測定し、測定結果を示す信号をＢＥＭＳ−ＧＷ２０２へ送信する。電流センサ１８２は、たとえば電力需要施設における各フロアに設けられ、負荷側装置２０５単位の消費電力量を測定し、測定結果を示す信号をＢＥＭＳ−ＧＷ２０２へ送信する。センサ１８３は、たとえば、電力需要施設における各フロアに設けられた温度センサまたは湿度センサ等であり、検知結果を示す信号をＢＥＭＳ−ＧＷ２０２へ送信する。
【００６７】
ＢＥＭＳ−ＧＷ２０２は、たとえば電力消費管理装置１０１からの電力量情報要求に従って、電力メータ１８１および電流センサ１８２等の測定結果に基づく所定時間単位かつ負荷側装置２０５単位の消費電力量を示す電力量情報をインターネット１０経由で電力消費管理装置１０１へ送信する。
【００６８】
また、ＢＥＭＳ−ＧＷ２０２は、たとえば電力消費管理装置１０１からのセンサ情報要求に従って、各種センサ１８３の検知結果を示すセンサ情報をインターネット１０経由で電力消費管理装置１０１へ送信する。
【００６９】
電力消費管理装置１０１は、ＢＥＭＳ−ＧＷ２０２から取得した各種情報をデータベース１６１に保存する。
【００７０】
［電力消費管理装置］
図３は、本発明の第１の実施の形態に係る電力消費管理システムにおける電力消費管理装置の構成を示す図である。
【００７１】
図３を参照して、電力消費管理装置１０１は、通信部（送信部および電力量取得部）２１と、決定部２２と、予想量取得部２３と、判断部２４と、更新部２５とを備える。
【００７２】
図４は、本発明の第１の実施の形態に係るデータベースに保存される電力量テーブルの一例を示す図である。図４に示す電力量テーブルは、データベース１６１に保存される。
【００７３】
図４を参照して、電力量テーブルは、電力消費管理装置１０１の制御対象の負荷側装置２０５ごとに用意される。
【００７４】
図３および図４を参照して、電力消費管理装置１０１における更新部２５は、制御対象の各負荷側装置２０５におけるたとえば直近の５分間における消費電力量を取得し、取得した消費電力量を対応の電力量テーブルに追加することにより当該電力量テーブルを更新する。
【００７５】
より詳細には、更新部２５は、直近の５分間における負荷側装置２０５の消費電力量を示す電力量情報を要求する旨を含む電力量情報要求を５分ごとに作成し、作成した電力量情報要求を通信部２１へ出力する。
【００７６】
通信部２１は、更新部２５から電力量情報要求を受けると、受けた電力量情報要求をインターネット１０経由でＢＥＭＳ−ＧＷ２０２へ送信する。
【００７７】
通信部２１は、たとえば、負荷側装置２０５に対応する消費電力量の計測結果を取得する。より詳細には、通信部２１は、電力量情報要求の応答として電力量情報をＢＥＭＳ−ＧＷ２０２から受信すると、受信した電力量情報を更新部２５へ出力する。
【００７８】
更新部２５は、通信部２１から電力量情報を受けると、受けた電力量情報の示す消費電力量を対応の電力量テーブルに追加することにより当該電力量テーブルを更新する。
【００７９】
図５は、本発明の第１の実施の形態に係る電力消費管理システムにおけるＤＲのタイムチャートの一例を示す図である。図６は、本発明の第１の実施の形態に係る電力消費管理装置における判断部の判断結果の一例を示す図である。
【００８０】
図３、図５および図６を参照して、通信部２１は、たとえば節電開始３１分前である１０時２９分において系統側管理装置１５１からＤＲ要請信号を受信すると、受信したＤＲ要請信号から電力管理情報を取得し、取得した電力管理情報を決定部２２および判断部２４へ出力する。
【００８１】
この例では、電力管理情報に含まれる、ＤＲ開始タイミング、節電期間の長さおよび電力消費の削減依頼量は、それぞれ１１：００、３時間および６０ｋＷｈである。
【００８２】
判断部２４は、通信部２１によって取得された、負荷側装置２０５に対応する消費電力量の計測結果に基づいて、負荷側装置２０５についての機器動作の状況を判断する。
【００８３】
より詳細には、判断部２４は、通信部２１から電力管理情報を受けると、たとえば、制御対象の負荷側装置２０５が稼働しているか否かを確認するために、データベース１６１における電力量テーブルを参照する。
【００８４】
判断部２４は、たとえば、参照する電力量テーブルにおける最新の電力量実績値と所定のしきい値との大小関係に基づいて、当該電力量テーブルに対応する負荷側装置２０５が稼働しているか否かを判断する。
【００８５】
具体的には、判断部２４は、最新の電力量実績値がたとえば３０ｋＷｈ以上である場合、当該電力量テーブルに対応する負荷側装置２０５が稼働していると判断する。
【００８６】
一方、判断部２４は、最新の電力量実績値が３０ｋＷｈより小さい場合、当該電力量テーブルに対応する負荷側装置２０５が停止していると判断する。
【００８７】
この例では、判断部２４は、図６に示すように、ＢＥＭＳ−ＧＷ２０２であるＢＥＭＳ−ＧＷ２０２Ａの制御対象の負荷側装置２０５である負荷側装置２０５Ａ，２０５Ｂにおける最新の電力量実績値がそれぞれ３２ｋＷｈおよび３６ｋＷｈであるので、負荷側装置２０５Ａ，２０５Ｂが稼働していると判断する。
【００８８】
また、判断部２４は、ＢＥＭＳ−ＧＷ２０２であるＢＥＭＳ−ＧＷ２０２Ｂの制御対象の負荷側装置２０５である負荷側装置２０５Ｃにおける最新の電力量実績値が４２ｋＷｈであるので、負荷側装置２０５Ｃが稼働していると判断する。
【００８９】
一方、判断部２４は、ＢＥＭＳ−ＧＷ２０２であるＢＥＭＳ−ＧＷ２０２Ｃの制御対象の負荷側装置２０５である負荷側装置２０５Ｄ〜２０５Ｆにおける最新の電力量実績値が３０ｋＷｈより小さいので、負荷側装置２０５Ｄ〜２０５Ｆが停止していると判断する。判断部２４は、判断結果を予想量取得部２３へ通知する。
【００９０】
なお、判断部２４は、参照する電力量テーブルにおける一定期間における電力量実績値の平均と所定のしきい値との大小関係に基づいて、当該電力量テーブルに対応する負荷側装置２０５が稼働しているか否かを判断してもよい。
【００９１】
具体的には、判断部２４は、直近の３０分間における電力量実績値の平均値がたとえば３０ｋＷｈ以上である場合、当該電力量テーブルに対応する負荷側装置２０５が稼働していると判断する。
【００９２】
一方、判断部２４は、当該平均値が３０ｋＷｈより小さい場合、当該電力量テーブルに対応する負荷側装置２０５が停止していると判断する。
【００９３】
図７〜図９は、本発明の第１の実施の形態に係る機器の予想量取得部が用いる制御パターンの一例を示す図である。図７〜図９には、節電期間の長さが３時間である場合における３種類の制御パターンＰ１〜Ｐ３がそれぞれ示される。
【００９４】
図７〜図９を参照して、制御パターンは、１または複数種類の節電制御を行うタイミングを示す。具体的には、図７に示す制御パターンＰ１は、１５分間のレベル３（Ｌ３）の節電制御、および１５分間のレベル１（Ｌ１）の節電制御を１シーケンスとして当該シーケンスを６回繰り返すパターンである。図８に示す制御パターンＰ２は、１０分間のレベル３の節電制御、１０分間のレベル２（Ｌ２）の節電制御、および１０分間のレベル１の節電制御を１シーケンスとして当該シーケンスを６回繰り返すパターンである。図９に示す制御パターンＰ３は、７．５分間のレベル３の節電制御、および２２．５分間のレベル１の節電制御を１シーケンスとして当該シーケンスを６回繰り返すパターンである。
【００９５】
再び図３を参照して、予想量取得部２３は、１または複数の電力需要施設における複数の負荷側装置２０５の各々について、複数の制御パターンの機器動作の制御を行った場合の節電予想量をそれぞれ取得する。
【００９６】
たとえば、予想量取得部２３は、判断部２４の判断結果に基づいて節電予想量を取得する。具体的には、予想量取得部２３は、判断部２４により稼働していると判断された負荷側装置２０５Ａ，２０５Ｂ，２０５Ｃの節電予想量を取得する。一方、予想量取得部２３は、判断部２４により停止していると判断された負荷側装置２０５Ｄ，２０５Ｅ，２０５Ｆの節電予想量を取得しない。
【００９７】
より詳細には、予想量取得部２３は、判断部２４から判断結果の通知を受けると、たとえば、１つの負荷側装置２０５に対応する複数の制御パターンを取得する。
【００９８】
具体的には、予想量取得部２３は、判断部２４により稼働していると判断された負荷側装置２０５Ａ，２０５Ｂ，２０５Ｃに対応する、制御パターンＰ１〜Ｐ３を生成する。
【００９９】
なお、予想量取得部２３は、負荷側装置２０５に対応する複数の制御パターンを取得する構成に限らず、負荷側装置２０５に対応する１つの制御パターンを取得してもよい。また、予想量取得部２３は、負荷側装置２０５に対応する２つまたは４つ以上の制御パターンを取得してもよい。また、予想量取得部２３は、制御パターンを生成する構成に限らず、予め生成された制御パターンをたとえばデータベース１６１から取得してもよい。
【０１００】
制御パターンＰ１〜Ｐ３は、たとえば、電力消費に関する要請に含まれる節電期間の終了タイミングにおいて負荷側装置２０５に対応する消費電力量が所定条件Ｃ１を満たすような機器動作、ここでは、空調設備すなわち負荷側装置２０５における室外機２０６の動作である。
【０１０１】
図１０は、消費電力量の所定条件を説明するための図である。
【０１０２】
図１０を参照して、たとえば、節電期間が満了したタイミングにおいて室内気温と室外気温との差が大きい場合、節電期間の満了後、負荷側装置２０５が最大パワーで動作することがある。このような場合、図１０に示すように、節電期間の満了後において消費電力量が急増するリバウンドが発生する。所定条件Ｃ１は、このようなリバウンドが発生しないことである。
【０１０３】
また、予想量取得部２３は、たとえば、負荷側装置２０５に対応する電力需要施設における室外気温を取得する。
【０１０４】
具体的には、予想量取得部２３は、負荷側装置２０５Ａおよび２０５Ｂに対応する電力需要施設、ならびに負荷側装置２０５Ｃに対応する電力需要施設における室外気温を取得する。
【０１０５】
より詳細には、予想量取得部２３は、センサ情報を要求する旨を含むセンサ情報要求を作成し、作成したセンサ情報要求を通信部２１へ出力する。
【０１０６】
通信部２１は、予想量取得部２３からセンサ情報要求を受けると、受けたセンサ情報要求をインターネット１０経由で上記各電力需要施設に設けられたＢＥＭＳ−ＧＷ２０２Ａ，２０２Ｂへ送信する。
【０１０７】
通信部２１は、センサ情報要求の応答としてセンサ情報をＢＥＭＳ−ＧＷ２０２Ａ，２０２Ｂから受信すると、受信した各センサ情報を予想量取得部２３へ出力する。
【０１０８】
予想量取得部２３は、通信部２１から各センサ情報を受けると、受けた各センサ情報に基づいて、負荷側装置２０５Ａ，２０５Ｂが設けられた電力需要施設における室外気温Ｔａ、および負荷側装置２０５Ｃが設けられた電力需要施設における室外気温Ｔｂを取得する。予想量取得部２３は、取得した室外気温Ｔａ，Ｔｂを更新部２５へ出力する。
【０１０９】
この例では、予想量取得部２３は、室外気温Ｔａ，Ｔｂとして、それぞれ２３℃および２６℃を取得する。
【０１１０】
なお、予想量取得部２３は、室外気温を電力需要施設におけるセンサ１８３から取得する構成に限らず、たとえば、電力需要施設が存在する地域における気温、湿度および天候等を示す気象予報情報をインターネット１０等から取得し、取得した気象予報情報から室外気温を取得してもよい。
【０１１１】
図１１は、本発明の第１の実施の形態に係るデータベースに保存される節電効果表の一例を示す図である。
【０１１２】
図１１を参照して、データベース１６１には、負荷側装置２０５に対応する電力需要施設についての環境パラメータと節電予想量との対応関係を示す情報の一例である節電効果表ＳＴ１が保存されている。
【０１１３】
節電効果表は、たとえば、負荷側装置２０５に対応して用意され、図１１に示す節電効果表ＳＴ１は、負荷側装置２０５Ａに対応する表である。
【０１１４】
より詳細には、節電効果表ＳＴ１は、負荷側装置２０５Ａが設けられている電力需要施設における室外気温と１時間当たりの節電量との対応関係を制御レベルごとに示す。負荷側装置２０５Ａ以外の負荷側装置２０５に対応する節電効果表も、節電効果表ＳＴ１と同様である。
【０１１５】
なお、節電効果表ＳＴ１は、室外気温と節電量との対応関係に限らず、負荷側装置２０５の空調対象のフロアに存在する人間の数、および当該フロアの面積の少なくともいずれか一方と節電量との対応関係を示してもよい。
【０１１６】
再び図３を参照して、予想量取得部２３は、たとえば、負荷側装置２０５に対応する電力需要施設についての環境パラメータと節電予想量との対応関係を示す情報から、取得した室外気温に応じた節電予想量であって、複数の制御パターンの機器動作の制御を行った場合の節電予想量を取得する。ここで、たとえば各制御パターンにおける節電予想量が異なる。
【０１１７】
図１２は、本発明の第１の実施の形態に係る電力消費管理装置における予想量取得部による節電予想量の算出結果の一例を示す図である。
【０１１８】
図１２を参照して、予想量取得部２３は、図１１に示す節電効果表ＳＴ１を用いて、室外気温Ｔａに応じた節電予想量であって、制御パターンＰ１の機器動作の制御を３時間行った場合における負荷側装置２０５Ａの節電予想量として１８．０ｋＷｈを算出する。
【０１１９】
また、予想量取得部２３は、節電効果表ＳＴ１を用いて、室外気温Ｔａに応じた節電予想量であって、制御パターンＰ２の機器動作の制御を３時間行った場合における負荷側装置２０５Ａの節電予想量として１８．８ｋＷｈを算出する。
【０１２０】
また、予想量取得部２３は、節電効果表ＳＴ１を用いて、室外気温Ｔａに応じた節電予想量であって、制御パターンＰ３の機器動作の制御を３時間行った場合における負荷側装置２０５Ａの節電予想量として１６．５ｋＷｈを算出する。
【０１２１】
同様に、予想量取得部２３は、負荷側装置２０５Ｂに対応する節電効果表を用いて、室外気温Ｔａに応じた節電予想量であって、制御パターンＰ１，Ｐ２，Ｐ３の機器動作の制御を３時間行った場合における負荷側装置２０５Ｂの節電予想量として２１．０，１６．０，１８．０ｋＷｈをそれぞれ算出する。
【０１２２】
同様に、予想量取得部２３は、負荷側装置２０５Ｃに対応する節電効果表を用いて、室外気温Ｔｂに応じた節電予想量であって、制御パターンＰ１，Ｐ２，Ｐ３の機器動作の制御を３時間行った場合における負荷側装置２０５Ｃの節電予想量として２４．０，２７．０，３０．０ｋＷｈをそれぞれ算出する。予想量取得部２３は、各節電予想量の算出結果を決定部２２へ出力する。
【０１２３】
再び図３を参照して、決定部２２は、電力消費に関する要請の内容に基づく所定条件Ｃ２を満たすように、予想量取得部２３によって取得された各節電予想量を用いて、対象となる負荷側装置２０５および対応のパターンを決定する。
【０１２４】
ここで、所定条件Ｃ２は、たとえば、複数の負荷側装置２０５に対応する電力消費に対してペナルティが課されないことである。
【０１２５】
より詳細には、節電期間における負荷側装置２０５Ａ〜２０５Ｃの消費電力量の合計が、電力管理情報の示す電力消費の削減依頼量すなわち６０ｋＷｈに基づく許容範囲に収まる場合、同時同量の義務を順守したことになるのでアグリゲータはペナルティを課されない。したがって、所定条件Ｃ２は、節電期間における負荷側装置２０５Ａ〜２０５Ｃの消費電力量の合計が許容範囲に収まることである。
【０１２６】
ここで、許容範囲の下限値は、たとえば６０ｋＷｈにマージンα（０＜α＜１）を乗じた値Ｖ１を、６０ｋＷｈから差し引いた値である。また、許容範囲の上限値は、たとえば６０ｋＷｈに値Ｖ１を加えた値である。
【０１２７】
決定部２２は、予想量取得部２３によって取得された各節電予想量すなわち図１２に示す節電予想量の算出結果において、負荷側装置２０５Ａに対応する３つの節電予想量のうち１つを選択することが可能であるし、１つも選択しないことも可能である。
【０１２８】
同様に、決定部２２は、負荷側装置２０５Ｂに対応する３つの節電予想量のうち１つを選択することが可能であるし、１つも選択しないことも可能である。
【０１２９】
同様に、決定部２２は、負荷側装置２０５Ｃに対応する３つの節電予想量のうち１つを選択することが可能であるし、１つも選択しないことも可能である。
【０１３０】
決定部２２は、選択した節電予想量の合計が許容範囲に収まるように、節電予想量を選択する。
【０１３１】
決定部２２は、選択した節電予想量に対応する制御パターンおよび負荷側装置２０５、ならびに通信部２１から受けた電力管理情報に基づいて制御情報を作成する。
【０１３２】
この例では、決定部２２は、ＢＥＭＳ−ＧＷ２０２Ａを宛先とする、ＤＲ開始タイミングすなわち１１：００から３時間後の１４：００まで制御パターンＰ１を用いて負荷側装置２０５Ａを制御すべきことを示す制御情報ＣＡ、および１１：００から１４：００まで制御パターンＰ２を用いて負荷側装置２０５Ｂを制御すべきことを示す制御情報ＣＢを作成する。
【０１３３】
また、決定部２２は、ＢＥＭＳ−ＧＷ２０２Ｂを宛先とする、１１：００から１４：００まで制御パターンＰ３を用いて負荷側装置２０５Ｃを制御すべきことを示す制御情報ＣＣを作成する。決定部２２は、作成した制御情報ＣＡ，ＣＢ，ＣＣを通信部２１および更新部２５へ出力する。
【０１３４】
通信部２１は、決定部２２によって決定された負荷側装置２０５を制御可能な装置すなわちＢＥＭＳ−ＧＷ２０２へ、決定部２２によって決定された対応のパターンに基づく制御情報を送信する。
【０１３５】
より詳細には、通信部２１は、決定部２２から制御情報ＣＡ，ＣＢ，ＣＣを受けると、図５に示すように、１０：５０まで待機し、１０：５０になると制御情報ＣＡ，ＣＢおよび制御情報ＣＣをインターネット１０経由でＢＥＭＳ−ＧＷ２０２Ａおよび２０２Ｂへそれぞれ送信する。
【０１３６】
再び図２および図６を参照して、ＢＥＭＳ−ＧＷ２０２は、電力消費管理装置１０１から制御情報を受信し、受信した制御情報に基づいて負荷側装置２０５を制御する。
【０１３７】
より詳細には、ＢＥＭＳ−ＧＷ２０２Ａは、電力消費管理装置１０１から制御情報ＣＡ，ＣＢを受信すると、受信した制御情報ＣＡ，ＣＢの内容を確認する。そして、ＢＥＭＳ−ＧＷ２０２Ａは、１１：００になると、制御情報ＣＡ，ＣＢに従って、負荷側装置２０５Ａおよび２０５Ｂを制御パターンＰ１およびＰ２によりそれぞれ節電制御する。
【０１３８】
また、ＢＥＭＳ−ＧＷ２０２Ｂは、電力消費管理装置１０１から制御情報ＣＣを受信すると、受信した制御情報ＣＣの内容を確認する。そして、ＢＥＭＳ−ＧＷ２０２Ｂは、１１：００になると、制御情報ＣＣに従って、負荷側装置２０５Ｃを制御パターンＰ３により節電制御する。
【０１３９】
再び図３を参照して、更新部２５は、決定部２２から受ける制御情報ＣＡ，ＣＢ，ＣＣに基づいて節電期間を認識する。そして、更新部２５は、節電期間に入ると、定期的に取得する負荷側装置２０５Ａ，２０５Ｂ，２０５Ｃについての電力量情報、制御パターンＰ１〜Ｐ３、および予想量取得部２３から受ける室外気温Ｔａ，Ｔｂに基づいて、データベース１６１における節電効果表を更新する。
【０１４０】
［動作］
電力消費管理装置１０１は、コンピュータを備え、当該コンピュータにおけるＣＰＵ等の演算処理部は、以下に示すフローチャートの各ステップの一部または全部を含むプログラムを図示しないメモリから読み出して実行する。この装置のプログラムは、外部からインストールすることができる。この装置のプログラムは、記録媒体に格納された状態で流通する。
【０１４１】
図１３は、本発明の第１の実施の形態に係る電力消費管理装置がＤＲ要請信号を受信して処理する際の動作手順を定めたフローチャートである。
【０１４２】
図１３を参照して、まず、電力消費管理装置１０１は、系統側管理装置１５１からＤＲ要請信号を受信するまで待機する（ステップＳ１０２でＮＯ）。
【０１４３】
一方、電力消費管理装置１０１は、系統側管理装置１５１からＤＲ要請信号を受信すると（ステップＳ１０２でＹＥＳ）、各負荷側装置２０５に対応する電力量テーブルに基づいて、当該各負荷側装置２０５の各々について、稼働しているか否かを判断する（ステップＳ１０４）。
【０１４４】
次に、電力消費管理装置１０１は、稼働している負荷側装置２０５が設けられている電力需要施設における室外気温を取得する（ステップＳ１０６）。
【０１４５】
次に、電力消費管理装置１０１は、取得した室外気温、および節電効果表に基づいて、稼働している負荷側装置２０５について、各制御パターンを行った場合の節電予想量をそれぞれ算出する（ステップＳ１０８）。
【０１４６】
次に、電力消費管理装置１０１は、所定条件Ｃ２を満たすように、算出した節電予想量を用いて、対象となる負荷側装置２０５および対応の制御パターンを決定する（ステップＳ１１０）。
【０１４７】
次に、電力消費管理装置１０１は、決定した負荷側装置２０５を制御可能なＢＥＭＳ−ＧＷ２０２へ、決定した対応の制御パターンに基づく制御情報を送信する（ステップＳ１１２）。
【０１４８】
次に、電力消費管理装置１０１は、系統側管理装置１５１から新たなＤＲ要請信号を受信するまで待機する（ステップＳ１０２でＮＯ）。
【０１４９】
なお、本発明の第１の実施の形態に係る電力消費管理装置では、予想量取得部２３は、複数の負荷側装置２０５の各々について、複数の制御パターンの機器動作の制御を行った場合の節電予想量をそれぞれ取得する構成であるとしたが、これに限定するものではない。予想量取得部２３は、複数の負荷側装置２０５の一部または全部について、１つの制御パターンの機器動作の制御を行った場合の節電予想量を取得する構成であってもよい。
【０１５０】
また、本発明の第１の実施の形態に係る電力消費管理装置は、判断部２４を備える構成であるとしたが、これに限定するものではない。電力消費管理装置１０１は、判断部２４を備えない構成であってもよい。
【０１５１】
ところで、電力会社および系統運用会社等の系統側事業者は、多くの電力需要施設にｘＥＭＳが導入されることにより、全体的な電力需要を広範囲に調整することが容易となる。
【０１５２】
たとえば、系統側事業者は、電力需給の逼迫が予測される場合に、アグリゲータに対して予め節電要請を行なう。そして、アグリゲータは、電力需要施設の需要家に対して節電要請を行なう。
【０１５３】
しかしながら、アグリゲータが節電要請を行っても、節電要請の対象期間において当該節電要請に従った電力消費の抑制が需要家の電力需要施設において行われない場合がある。このような場合、十分な節電が行われなくなり、需要と供給とのバランスが崩れてしまうことがある。
【０１５４】
これに対して、本発明の第１の実施の形態に係る電力消費管理装置では、予想量取得部２３は、１または複数の電力需要施設における複数の負荷側装置２０５の各々について、１または複数の制御パターンの機器動作の制御を行った場合の節電予想量をそれぞれ取得する。決定部２２は、電力消費に関する要請の内容に基づく所定条件Ｃ２を満たすように、予想量取得部２３によって取得された各節電予想量を用いて、対象となる負荷側装置２０５および対応の制御パターンを決定する。そして、通信部２１は、決定部２２によって決定された負荷側装置２０５を制御可能な装置たとえばＢＥＭＳ−ＧＷ２０２へ、決定部２２によって決定された対応の制御パターンに基づく制御情報を送信する。
【０１５５】
このように、たとえば需要と供給とのバランスが崩れないように、機器動作の制御パターンに着目した複数の負荷側装置２０５の各々の節電予想量を用いて制御対象および制御パターンを決定し、制御情報を送信する構成により、節電予想量と同程度の電力消費の抑制が達成される可能性を高めることができる。したがって、電力需要施設における電力消費の抑制をより確実に行わせるとともに、需要と供給とのバランスを保つ等、適切な抑制量を実現することができる。
【０１５６】
また、本発明の第１の実施の形態に係る電力消費管理装置では、負荷側装置２０５は、電力需要施設における機器である。そして、通信部２１は、決定部２２によって決定された負荷側装置２０５を制御可能な装置たとえばＢＥＭＳ−ＧＷ２０２へ、制御情報を送信する。
【０１５７】
このように、ＢＥＭＳ−ＧＷ２０２が制御情報に従って当該機器を制御する構成により、当該機器に対応する節電予想量と同程度の電力消費の抑制を当該機器に対してより確実に行わせることができる。
【０１５８】
また、本発明の第１の実施の形態に係る電力消費管理装置では、予想量取得部２３は、１つの負荷側装置２０５に対応する複数の制御パターンを取得する。そして、各制御パターンにおける節電予想量が異なる。
【０１５９】
このような構成により、電力消費に関する要請の内容に応じて、複数の候補の中から対象となる負荷側装置２０５および対応の制御パターンを適切に決定することができる。
【０１６０】
また、本発明の第１の実施の形態に係る電力消費管理装置では、通信部２１は、負荷側装置２０５に対応する消費電力量の計測結果を取得する。判断部２４は、通信部２１によって取得された計測結果に基づいて、負荷側装置２０５についての機器動作の状況を判断する。そして、予想量取得部２３は、判断部２４の判断結果に基づいて節電予想量を取得する。
【０１６１】
このような構成により、たとえば動作していない機器についての節電予想量を期待して誤った節電量を予想してしまうことを防ぐことができるので、より正確な節電予想量を取得することができる。
【０１６２】
また、本発明の第１の実施の形態に係る電力消費管理装置では、所定条件Ｃ２は、複数の負荷側装置２０５に対応する電力消費に対してペナルティが課されないことである。
【０１６３】
このような構成により、たとえば同時同量の義務を順守してペナルティが課されないように、対象となる負荷側装置２０５および対応のパターンを適切に決定することができる。
【０１６４】
また、本発明の第１の実施の形態に係る電力消費管理装置では、制御パターンは、上記要請に含まれる節電期間の終了タイミングにおいて負荷側装置２０５に対応する消費電力量が所定条件Ｃ１を満たすような機器動作である。
【０１６５】
このような構成により、節電期間の満了後における消費電力量をある程度コントロールすることができるので、たとえばリバウンドにより消費電力量が急増してしまうことを防ぐことができる。
【０１６６】
また、本発明の第１の実施の形態に係る電力消費管理装置では、予想量取得部２３は、負荷側装置２０５に対応する電力需要施設についての環境パラメータと節電予想量との対応関係を示す情報から節電予想量を取得する。
【０１６７】
このような構成により、電力需要施設における環境に応じた節電予想量を取得することができるので、より正確な節電予想量を容易に取得することができる。
【０１６８】
また、本発明の第１の実施の形態に係る電力消費管理装置では、制御パターンは、空調設備の室外機２０６の動作である。そして、予想量取得部２３は、さらに、負荷側装置２０５に対応する電力需要施設における室外気温を取得し、取得した室外気温に応じた節電予想量を取得する。
【０１６９】
このような構成により、室外気温と室内気温との温度差に応じて消費電力量が大きく変動する空調設備の節電予想量をより正確に取得することができる。
【０１７０】
また、本発明の第１の実施の形態に係る電力消費管理システムでは、電力消費管理装置１０１は、１または複数の電力需要施設における複数の負荷側装置２０５の各々について、１または複数の制御パターンの機器動作の制御を行った場合の節電予想量をそれぞれ取得する。電力消費管理装置１０１は、電力消費に関する要請の内容に基づく所定条件Ｃ１を満たすように、取得した各節電予想量を用いて、対象となる負荷側装置２０５および対応の制御パターンを決定する。そして、電力消費管理装置１０１は、決定した負荷側装置２０５を制御可能な装置たとえばＢＥＭＳ−ＧＷ２０２へ、決定した対応の制御パターンに基づく制御情報を送信する。
【０１７１】
このように、たとえば需要と供給とのバランスが崩れないように、機器動作の制御パターンに着目した複数の負荷側装置２０５の各々の節電予想量を用いて制御対象および制御パターンを決定し、制御情報を送信する構成により、節電予想量と同程度の電力消費の抑制が達成される可能性を高めることができる。したがって、電力需要施設における電力消費の抑制をより確実に行わせるとともに、需要と供給とのバランスを保つ等、適切な抑制量を実現することができる。
【０１７２】
次に、本発明の他の実施の形態について図面を用いて説明する。なお、図中同一または相当部分には同一符号を付してその説明は繰り返さない。
【０１７３】
＜第２の実施の形態＞
本実施の形態は、第１の実施の形態に係る電力消費管理システムと比べてＢＥＭＳ−ＧＷを対象とする電力消費管理システムに関する。以下で説明する内容以外は第１の実施の形態に係る電力消費管理システムと同様である。
【０１７４】
図１４は、本発明の第２の実施の形態に係る電力消費管理システムの構成を示す図である。
【０１７５】
図１４を参照して、電力消費管理システム３０２は、系統側管理装置１５１と、電力消費管理装置１０２と、３つの負荷側装置２１２と、６つの機器２１５とを備える。
【０１７６】
図１４では、３つの負荷側装置２１２を代表的に示しているが、複数の負荷側装置２１２が設けられればよい。また、１つの負荷側装置２１２に対応して２つの機器２１５を代表的に示しているが、１つの負荷側装置２１２に対応して１つまたは３つ以上の機器２１５が設けられてもよい。また、１つの電力需要施設において１つの負荷側装置２１２が設けられているが、１つの電力需要施設において複数の負荷側装置２１２が設けられてもよい。また、３つの電力需要施設を代表的に示しているが、２つ以下または４つ以上の電力需要施設が設けられてもよい。
【０１７７】
電力消費管理システム３０２における系統側管理装置１５１、負荷側装置２１２および機器２１５は、図１に示す電力消費管理システム３０１における系統側管理装置１５１、ＢＥＭＳ−ＧＷ２０２および負荷側装置２０５とそれぞれ同様である。
【０１７８】
負荷側装置２１２は、電力会社から電力の供給を受けるビル、工場または一般家庭等の電力需要施設における１または複数の機器２１５を制御可能な装置の一例である、ＢＥＭＳ−ＧＷまたはＨＥＭＳ−ＧＷである。より詳細には、ＨＥＭＳ−ＧＷまたはＢＥＭＳ−ＧＷは、電気機器の動作を制御することによって消費電力の削減を図るためのｘＥＭＳにおいて用いられる装置であり、たとえばアグリゲータによって導入される。
【０１７９】
［電力消費管理システムの適用例］
図１５は、本発明の第２の実施の形態に係る電力消費管理システムの適用例を示す図である。
【０１８０】
図１５を参照して、電力会社の施設には、たとえばサーバである系統側管理装置１５１と、データベース１６２とが設けられている。アグリゲータの施設には、たとえばＤＲＡＳである電力消費管理装置１０２と、データベース１６１とが設けられている。各電力需要施設には、たとえば計測装置および制御装置の機能を有する負荷側装置２１２と、電力メータ１８１と、電流センサ１８２と、センサ１８３と、機器２１５とが設けられている。
【０１８１】
機器２１５は、たとえば空調設備であり、室外機２０６と、室内機２０７とを含む。なお、機器２１５は、二次電池をエネルギー源とする二次電池式電気自動車およびプラグインハイブリッドカー、ならびに照明およびテレビ等の電気機器であってもよい。
【０１８２】
［電力消費管理装置］
図１６は、本発明の第２の実施の形態に係る電力消費管理システムにおける電力消費管理装置の構成を示す図である。
【０１８３】
図１６を参照して、電力消費管理装置１０２は、図３に示す電力消費管理装置１０１と比べて、決定部２２、予想量取得部２３、判断部２４および更新部２５の代わりに、決定部３２と、予想量取得部３３と、判断部３４と、更新部３５とを備える。
【０１８４】
電力消費管理装置１０２における通信部２１は、図１に示す電力消費管理装置１０１における通信部２１と同様である。
【０１８５】
電力消費管理装置１０２における更新部３５は、対象の負荷側装置２１２が設けられた電力需要施設全体におけるたとえば直近の５分間における消費電力量を負荷側装置２１２ごとに取得し、取得した消費電力量を負荷側装置２１２に対応する電力量テーブルに追加することにより当該電力量テーブルを更新する。
【０１８６】
判断部３４は、たとえば、通信部２１によって取得された、負荷側装置２１２に対応する消費電力量の計測結果に基づいて、負荷側装置２１２についての機器動作の状況を判断する。
【０１８７】
より詳細には、判断部３４は、たとえば、電力量テーブルにおける最新の電力量実績値と所定のしきい値との大小関係に基づいて、当該電力量テーブルに対応する負荷側装置２１２が制御する機器２１５が稼働しているか否かを判断する。
【０１８８】
なお、判断部３４は、電力量テーブルにおける一定期間における電力量実績値の平均と所定のしきい値との大小関係に基づいて、当該電力量テーブルに対応する負荷側装置２１２が制御する機器２１５が稼働しているか否かを判断してもよい。
【０１８９】
予想量取得部３３は、１または複数の電力需要施設における複数の負荷側装置２１２の各々について、複数の制御パターンの機器動作の制御を行った場合の節電予想量をそれぞれ取得する。
【０１９０】
たとえば、予想量取得部３３は、判断部３４の判断結果に基づいて節電予想量を取得する。具体的には、予想量取得部３３は、判断部３４により稼働していると判断された負荷側装置２１２が制御する機器２１５の節電予想量を取得する。一方、予想量取得部３３は、判断部３４により停止していると判断された負荷側装置２１２が制御する機器２１５の節電予想量を取得しない。
【０１９１】
また、予想量取得部３３は、たとえば、判断部３４により稼働していると判断された１つの負荷側装置２１２に対応する複数の制御パターンを取得する。より詳細には、予想量取得部３３は、当該負荷側装置２１２が制御する機器２１５に用いる複数の制御パターンを生成する。
【０１９２】
ここで、複数の制御パターンは、たとえば、節電期間の終了タイミングにおいて負荷側装置２１２に対応する消費電力量が所定条件Ｃ１を満たすような機器動作である。より詳細には、複数の制御パターンは、節電期間の終了タイミングにおいて負荷側装置２１２が制御する機器２１５の消費電力量が、所定条件Ｃ１を満たすような当該機器２１５における室外機２０６の動作である。
【０１９３】
また、予想量取得部３３は、たとえば、負荷側装置２１２に対応する電力需要施設における室外気温を取得する。
【０１９４】
予想量取得部３３は、たとえば、負荷側装置２１２に対応する電力需要施設についての環境パラメータと節電予想量との対応関係を示す情報から、取得した室外気温に応じた節電予想量であって、複数の制御パターンの機器動作の制御を行った場合の節電予想量を取得する。ここで、たとえば各制御パターンにおける節電予想量が異なる。
【０１９５】
決定部３２は、電力消費に関する要請の内容に基づく所定条件Ｃ２を満たすように、予想量取得部３３によって取得された各節電予想量を用いて、対象となる負荷側装置２１２および対応のパターンを決定する。
【０１９６】
通信部２１は、決定部３２によって決定された負荷側装置２１２へ、決定部３２によって決定された対応のパターンに基づく制御情報を送信する。
【０１９７】
再び図１５を参照して、負荷側装置２１２は、電力消費管理装置１０２から制御情報を受信し、受信した制御情報に基づいて機器２１５を制御する。
【０１９８】
以上のように、本発明の第２の実施の形態に係る電力消費管理装置では、予想量取得部３３は、１または複数の電力需要施設における複数の負荷側装置２１２の各々について、１または複数の制御パターンの機器動作の制御を行った場合の節電予想量をそれぞれ取得する。決定部３２は、電力消費に関する要請の内容に基づく所定条件Ｃ２を満たすように、予想量取得部３３によって取得された各節電予想量を用いて、対象となる負荷側装置２１２および対応の制御パターンを決定する。そして、通信部２１は、決定部３２によって決定された負荷側装置２１２へ、決定部３２によって決定された対応の制御パターンに基づく制御情報を送信する。
【０１９９】
このように、たとえば需要と供給とのバランスが崩れないように、機器動作の制御パターンに着目した複数の負荷側装置２１２の各々の節電予想量を用いて制御対象および制御パターンを決定し、制御情報を送信する構成により、節電予想量と同程度の電力消費の抑制が達成される可能性を高めることができる。したがって、電力需要施設における電力消費の抑制をより確実に行わせるとともに、需要と供給とのバランスを保つ等、適切な抑制量を実現することができる。
【０２００】
また、本発明の第２の実施の形態に係る電力消費管理装置では、負荷側装置２１２は、電力需要施設における１または複数の機器２１５を制御可能な装置である。そして、通信部２１は、決定部３２によって決定された負荷側装置２１２へ、制御情報を送信する。
【０２０１】
このように、負荷側装置２１２が、制御情報に従って電力需要施設における１または複数の機器２１５を制御する構成により、当該負荷側装置２１２に対応する節電予想量と同程度の電力消費の抑制を当該複数の機器２１５に対してより確実に行わせることができる。
【０２０２】
また、本発明の第２の実施の形態に係る電力消費管理システムでは、電力消費管理装置１０２は、１または複数の電力需要施設における複数の負荷側装置２１２の各々について、１または複数のパターンの機器動作の制御を行った場合の節電予想量をそれぞれ取得する。電力消費管理装置１０２は、電力消費に関する要請の内容に基づく所定条件Ｃ２を満たすように、取得した各節電予想量を用いて、対象となる負荷側装置２１２および対応の制御パターンを決定する。そして、電力消費管理装置１０２は、決定した負荷側装置２１２へ、決定した対応の制御パターンに基づく制御情報を送信する。
【０２０３】
このように、たとえば需要と供給とのバランスが崩れないように、機器動作の制御パターンに着目した複数の負荷側装置２１２の各々の節電予想量を用いて制御対象および制御パターンを決定し、制御情報を送信する構成により、節電予想量と同程度の電力消費の抑制が達成される可能性を高めることができる。したがって、電力需要施設における電力消費の抑制をより確実に行わせるとともに、需要と供給とのバランスを保つ等、適切な抑制量を実現することができる。
【０２０４】
その他の構成および動作は第１の実施の形態に係る機器制御システムと同様であるため、ここでは詳細な説明を繰り返さない。
【０２０５】
なお、本発明の第１の実施の形態および第２の実施の形態に係る各装置の構成要素および動作のうち、一部または全部を適宜組み合わせることも可能である。
【０２０６】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２０７】
以上の説明は、以下に付記する特徴を含む。
【０２０８】
［付記１］
１または複数の電力需要施設における複数の負荷側装置の各々について、１または複数のパターンの機器動作の制御を行った場合の節電予想量をそれぞれ取得する予想量取得部と、
電力消費に関する要請の内容に基づく所定条件を満たすように、前記予想量取得部によって取得された各前記節電予想量を用いて、対象となる前記負荷側装置および対応の前記パターンを決定する決定部と、
前記決定部によって決定された前記負荷側装置または前記負荷側装置を制御可能な装置へ、前記決定部によって決定された前記対応のパターンに基づく制御情報を送信する送信部とを備え、
前記電力需要施設は、ビル、工場または一般家庭であり、
前記負荷側装置は、計測装置および制御装置の機能を有するＢＥＭＳ−ＧＷ（Ｂｕｉｌｄｉｎｇ  Ｅｎｅｒｇｙ  Ｍａｎａｇｅｍｅｎｔ  Ｓｙｓｔｅｍ  Ｇａｔｅｗａｙ）もしくはＨＥＭＳ−ＧＷ（Ｈｏｍｅ  Ｅｎｅｒｇｙ  Ｍａｎａｇｅｍｅｎｔ  Ｓｙｓｔｅｍ  Ｇａｔｅｗａｙ）、または機器であり、
前記機器は、二次電池式電気自動車、プラグインハイブリッドカー、照明、テレビおよび空調装置の少なくともいずれか１つであり、
前記パターンは、前記機器の能力を制限する１または複数種類の節電制御を行うタイミングを示し、
前記所定条件は、同時同量の義務を順守することである、電力消費管理装置。
【０２０９】
［付記２］
電力消費管理装置と、
複数の負荷側装置とを備え、
前記電力消費管理装置は、１または複数の電力需要施設における前記複数の負荷側装置の各々について、１または複数のパターンの機器動作の制御を行った場合の節電予想量をそれぞれ取得し、
前記電力消費管理装置は、電力消費に関する要請の内容に基づく所定条件を満たすように、取得した各前記節電予想量を用いて、対象となる前記負荷側装置および対応の前記パターンを決定し、
前記電力消費管理装置は、決定した前記負荷側装置へ、決定した前記対応のパターンに基づく制御情報を送信し、
前記負荷側装置は、前記電力消費管理装置から前記制御情報を受信し、受信した前記制御情報に基づいて１または複数の機器を制御し、
前記電力需要施設は、ビル、工場または一般家庭であり、
前記負荷側装置は、計測装置および制御装置の機能を有するＢＥＭＳ−ＧＷ（Ｂｕｉｌｄｉｎｇ  Ｅｎｅｒｇｙ  Ｍａｎａｇｅｍｅｎｔ  Ｓｙｓｔｅｍ  Ｇａｔｅｗａｙ）またはＨＥＭＳ−ＧＷ（Ｈｏｍｅ  Ｅｎｅｒｇｙ  Ｍａｎａｇｅｍｅｎｔ  Ｓｙｓｔｅｍ  Ｇａｔｅｗａｙ）であり、
前記機器は、二次電池式電気自動車、プラグインハイブリッドカー、照明、テレビおよび空調装置の少なくともいずれか１つであり、
前記パターンは、前記機器の能力を制限する１または複数種類の節電制御を行うタイミングを示し、
前記所定条件は、同時同量の義務を順守することである、電力消費管理システム。
【０２１０】
［付記３］
電力消費管理装置と、
複数の負荷側装置とを備え、
前記電力消費管理装置は、１または複数の電力需要施設における前記複数の負荷側装置の各々について、１または複数のパターンの機器動作の制御を行った場合の節電予想量をそれぞれ取得し、
前記電力消費管理装置は、電力消費に関する要請の内容に基づく所定条件を満たすように、取得した各前記節電予想量を用いて、対象となる前記負荷側装置および対応の前記パターンを決定し、
前記電力消費管理装置は、決定した前記負荷側装置を制御可能な装置へ、決定した前記対応のパターンに基づく制御情報を送信し、
前記負荷側装置を制御可能な前記装置は、前記電力消費管理装置から前記制御情報を受信し、受信した前記制御情報に基づいて前記負荷側装置を制御し、
前記電力需要施設は、ビル、工場または一般家庭であり、
前記負荷側装置は、機器であり、
前記機器は、二次電池式電気自動車、プラグインハイブリッドカー、照明、テレビおよび空調装置の少なくともいずれか１つであり、
前記パターンは、前記機器の能力を制限する１または複数種類の節電制御を行うタイミングを示し、
前記所定条件は、同時同量の義務を順守することである、電力消費管理システム。
【符号の説明】
【０２１１】
１０  インターネット
２１  通信部（送信部および電力量取得部）
２２  決定部
２３  予想量取得部
２４  判断部
２５  更新部
３２  決定部
３３  予想量取得部
３４  判断部
３５  更新部
１０１，１０２  電力消費管理装置
１５１  系統側管理装置
１６１  データベース
１６２  データベース
１８１  電力メータ
１８２  電流メータ
１８３  センサ
２０２  ＢＥＭＳ−ＧＷ
２０５  負荷側装置
２０６  室外機
２０７  室内機
２１２  負荷側装置
２１５  機器
３０１，３０２  機器制御システム
【図１】
0006701761.tif 000002
【図２】
0006701761.tif 000003
【図３】
0006701761.tif 000004
【図４】
0006701761.tif 000005
【図５】
0006701761.tif 000006
【図６】
0006701761.tif 000007
【図７】
0006701761.tif 000008
【図８】
0006701761.tif 000009
【図９】
0006701761.tif 000010
【図１０】
0006701761.tif 000011
【図１１】
0006701761.tif 000012
【図１２】
0006701761.tif 000013
【図１３】
0006701761.tif 000014
【図１４】
0006701761.tif 000015
【図１５】
0006701761.tif 000016
【図１６】
0006701761.tif 000017